(57)【要約】【課題】二本の指を使用するように誘導して容易に開口できる缶蓋を提供する。【解決手段】開口片５を区画するためのスコア線４が刻設されたパネル部３にリベット部６によってタブ１が固着され、そのタブ１のうち開口片５の上側に位置させられる端部が押し下げ部８とされるとともに、リベット部６を挟んで押し下げ部８とは反対側の端部が持ち上げ部７とされ、その持ち上げ部７を引き上げることによるタブ１のテコ作用によって押し下げ部８により開口片５を押し下げて開口作用を行うように構成されたステイオンタブ式缶蓋において、持ち上げ部７の外縁部とパネル部３のうち持ち上げ部７の外縁部に対向する位置との少なくともいずれか一方に、持ち上げ部７の外縁部とパネル部３との間隔を拡げている二つの凹変形部７ａ，７ｂが区画用凸部１２を挟んで並んで形成されている。【選択図】  図１
2016108003.tif 000002
【特許請求の範囲】
【請求項１】
開口片を区画するためのスコア線が刻設されたパネル部にリベット部によってタブが固着され、そのタブのうち前記開口片の上側に位置させられる端部が押し下げ部とされるとともに、前記リベット部を挟んで前記押し下げ部とは反対側の端部が持ち上げ部とされ、その持ち上げ部を引き上げることによる前記タブのテコ作用によって前記押し下げ部により前記開口片を押し下げて開口作用を行うように構成されたステイオンタブ式缶蓋において、
前記持ち上げ部の外縁部と前記パネル部のうち前記持ち上げ部の外縁部に対向する位置との少なくともいずれか一方に、前記持ち上げ部の外縁部と前記パネル部との間隔を拡げている二つの凹変形部が区画用凸部を挟んで並んで形成されていることを特徴とするステイオンタブ式缶蓋。
【請求項２】
前記持ち上げ部の中央部と前記リベット部とを結ぶ線に対して直交する方向の寸法である前記持ち上げ部の幅が、前記タブにおける前記持ち上げ部以外の部分の幅より広く形成され、
前記区画用凸部が前記持ち上げ部の幅方向での中央部に前記リベット部から遠ざかる方向に突出した形状に形成され、
その区画用凸部を挟んだ両側に前記凹変形部が形成されるとともに、各凹変形部は、前記パネル部から離れる方向に湾曲しかつ前記リベット部に向けて凹となるように湾曲している
ことを特徴とする請求項１に記載のステイオンタブ式缶蓋。
【請求項３】
前記パネル部のうち前記凹変形部に対向する部分が、前記持ち上げ部から遠ざかる方向に窪んでいることを特徴とする請求項２に記載のステイオンタブ式缶蓋。
【請求項４】
前記持ち上げ部の中央部と前記リベット部とを結ぶ線に対して直交する方向の寸法である前記持ち上げ部の幅が、前記タブにおける前記持ち上げ部以外の部分の幅より広く形成され、
前記パネル部のうち前記持ち上げ部に対向する部分に、前記持ち上げ部から遠ざかる方向に窪んだ二つの前記凹変形部が、前記持ち上げ部の幅方向に並んで形成され、
これら二つの凹変形部の間の部分が、その凹変形部に対して前記持ち上げ部側に凸となった前記区画用凸部とされている
ことを特徴とする請求項１に記載のステイオンタブ式缶蓋。
【発明の詳細な説明】
【技術分野】
【０００１】
本発明は、タブによって開口できるように構成された缶蓋に関し、特にステイオンタブ式の缶蓋に関するものである。
【背景技術】
【０００２】
従来、飲料缶の蓋として、缶蓋のパネル部に固着された開口操作用タブによって開口操作を行うステイオンタブ（ＳＯＴ）式缶蓋が多く用いられている。ステイオンタブ式缶蓋では、タブの指掛け部を持ち上げてスコア線を破断して開口するように構成されており、使用者にできるだけ容易に開けられるようにすることが求められている。そこで、指１本を使い開口する場合、力の弱い人は開口を容易に行えない場合があるため、指２本を使い開口するタイプのものがある。引用文献１には、タブに指が通る大きさの孔を二つ開け、消費者が視覚により二本の指で開けることができるように印象づけるタブが記載されている。また、引用文献２には、一端部の幅方向の中央が長手方向に突出したタブが記載されている。ステイオンタブは、缶蓋のほぼ中央部にリベットによって固定され、その一端部に形成されている指掛け部を持ち上げることによりテコ作用が生じ、リベットの周囲の所定箇所でスコア線の破断が始まり、そのスコア線の破断が次第に進行して、スコア線によって囲われるように形成されている開口部が開くように構成されている。一般的なタブにおける指掛け部は、１本の指を掛けて引き上げる形状に形成されている。具体的には、指掛け部は厚さ方向に押し潰して隣接する部分より薄く形成され、またパネル部のうち前記指掛け部に対向する位置にも指掛け部とほぼ同じ幅の凹部が形成されている。
【０００３】
タブがテコ作用を行うとしても、スコア線に破断を生じさせるために必要な力は必ずしも十分に小さくはなく、そこで、開口を容易にするために、二本の指を掛けることのできるタブが特許文献１や特許文献２によって提案されている。
【先行技術文献】
【特許文献】
【０００４】
【特許文献１】実用新案登録第３１８３５９１号公報
【特許文献２】特許第４２２４７２８号公報
【発明の概要】
【発明が解決しようとする課題】
【０００５】
特許文献１に記載されたタブは、リベットによって缶蓋の上面に取り付けられ、そのリベットが貫通している部分から缶蓋の上面に沿って延びている部分に、指が通る大きさの二つの孔が左右対称に形成されている。この特許文献１に記載されたタブは、従来のタブと同様に、テコ作用によって開口するように構成されている。しかしながら、指を掛ける箇所は、左右対称に設けられた二つの孔であるから、指によって力を加える箇所がリベットに近くならざるを得ない。そのため、テコにおける支点と力点との間隔（すなわち腕の長さ）が短くなってしまい、結局は、二本の指を掛けることができるとしても開口に要する力が大きくなってしまう。
【０００６】
特許文献２に記載された缶蓋は、缶蓋の上面とタブとの間に合成樹脂製のシートを挟み込み、そのシートに二つの指孔を設けた構成である。そのシートを摘まみ上げることにより、タブを引き起こすことができる、とされている。しかしながら、このような構成では、合成樹脂シートを新たに追加しなければならないので、部品点数や工数が増大してしまう不都合がある。
【０００７】
この発明は上記の技術的課題に着目してなされたものであり、二本の指を容易に掛けて開口することのできるステイオンタブ式缶蓋を提供することを目的とするものである。
【課題を解決するための手段】
【０００８】
上記の目的を達成するために、請求項１の発明は、開口片を区画するためのスコア線が刻設されたパネル部にリベット部によってタブが固着され、そのタブのうち前記開口片の上側に位置させられる端部が押し下げ部とされるとともに、前記リベット部を挟んで前記押し下げ部とは反対側の端部が持ち上げ部とされ、その持ち上げ部を引き上げることによる前記タブのテコ作用によって前記押し下げ部により前記開口片を押し下げて開口作用を行うように構成されたステイオンタブ式缶蓋において、前記持ち上げ部の外縁部と前記パネル部のうち前記持ち上げ部の外縁部に対向する位置との少なくともいずれか一方に、前記持ち上げ部の外縁部と前記パネル部との間隔を拡げている二つの凹変形部が区画用凸部を挟んで並んで形成されていることを特徴とするものである。
【０００９】
本発明では、前記持ち上げ部の中央部と前記リベット部とを結ぶ線に対して直交する方向の寸法である前記持ち上げ部の幅が、前記タブにおける前記持ち上げ部以外の部分の幅より広く形成され、前記区画用凸部が前記持ち上げ部の幅方向での中央部に前記リベット部から遠ざかる方向に突出した形状に形成され、その区画用凸部を挟んだ両側に前記凹変形部が形成されるとともに、各凹変形部は、前記パネル部から離れる方向に湾曲しかつ前記リベット部に向けて凹となるように湾曲していてよい。
【００１０】
その場合、前記パネル部のうち前記凹変形部に対向する部分が、前記持ち上げ部から遠ざかる方向に窪んでいてよい。
【００１１】
また一方、本発明では、前記持ち上げ部の中央部と前記リベット部とを結ぶ線に対して直交する方向の寸法である前記持ち上げ部の幅が、前記タブにおける前記持ち上げ部以外の部分の幅より広く形成され、前記パネル部のうち前記持ち上げ部に対向する部分に、前記持ち上げ部から遠ざかる方向に窪んだ二つの前記凹変形部が、前記持ち上げ部の幅方向に並んで形成され、これら二つの凹変形部の間の部分が、その凹変形部に対して前記持ち上げ部側に凸となった前記区画用凸部とされていてよい。
【発明の効果】
【００１２】
本発明によれば、タブにおける持ち上げ部の外縁部とパネル部との間隔を拡げている凹変形部が、区画用凸部を挟んで二つ形成されているから、指の入る箇所を容易に視認することができるとともに、その凹変形部に二本の指を容易に掛けることができる。すなわち、本発明によれば、二本の指でタブの持ち上げ部を引き上げることができるので、開口に要する力を小さくすることができる。特に、指で力を加える箇所がタブの外縁部であって、リベット部から大きく離れた箇所になるので、タブがテコ作用を行う際の力点までの腕の長さが長くなり、この点でも開口に要する力を小さくすることができる。さらに、二つの凹変形部はタブの持ち上げ部における外縁部とパネル部とのいずれに形成してもよく、そのいずれの場合であっても各凹変形部が区画用凸部で分けられているので、タブに二本の指を掛けることを、視覚や触覚によって容易に認識させることができる。
【図面の簡単な説明】
【００１３】
【図１】この発明に係る缶蓋の一例を示す平面図である。
【図２】その缶蓋の縦断面図である。
【図３】この発明に係る缶蓋の他の例を示す平面図である。
【図４】この発明に係る缶蓋を示し、パネル部に二つの凹部を形成した例を示す平面図である。
【図５】図４に示すタブに抜き孔を形成した他の例を示す平面図である。
【図６】パネル部に形成された二つの凹部を指掛けのためのスペースを作る凹変形部とした例を示す平面図である。
【発明を実施するための形態】
【００１４】
本発明に係る一例を図１および図２に示す。ステイオン式のタブ１が取り付けられている缶蓋２は、アルミニウム合金等の金属製薄板材からプレス成形されるものであって、円板状のパネル部３にスコア線４を刻設し、そのスコア線４によって区画された開口片５が形成され、パネル部３の中央部にタブ固着用のリベット部６が形成されている。このリベット部６に固着されたタブ１の一端側の外縁部が持ち上げ部７とされている。
【００１５】
また、タブ１における他方の端部すなわち前記リベット部６を挟んで前記持ち上げ部７とは反対側の端部は、前記開口片５の上方に配置されていて、押し下げ部８となっている。その押し下げ部８は凸円弧状の部分であり、その内周側から前記持ち上げ部７側に向けて延びる取付片９が形成されている。取付片９は、タブ１を構成している金属板からなる舌片状（タング）の部分であり、缶蓋２におけるパネル部３の上面に接触している部分である。取付片９の周りには、タブ１を厚さ方向に打ち抜いた所定形状（例えばＵ字状）の切り込みであるタングホール１０が形成されている。さらに、取付片９には、その板厚方向に貫通していてリベット部６が挿入されるリベットホール１１が形成されている。なお、タブ１は、アルミニウム合金などの帯状金属板を素材としてプレス加工により所定の形状に打ち抜かれて成形されたものである。その外周部は二重もしくは三重に折り曲げられてカール成形されている。
【００１６】
ここで、持ち上げ部７の構成について説明すると、持ち上げ部７はタブ１の前記リベット部６から最も離れた外縁部であり、その幅は、タブ１における他の部分の幅より大きくなっている。なお、「幅」は、持ち上げ部７の中央部もしくは前述した押し下げ部８の中央部と前述したリベット部６の中心部とを結ぶ線に対して直交する方向に測った寸法である。この持ち上げ部７の幅方向での中央部に区画用凸部１２が形成され、その区画用凸部１２を挟んだ両側の部分に凹変形部７ａ，７ｂが形成されている。この凹変形部７ａ，７ｂは、持ち上げ部７を引き上げる際に指を掛け易くするための部分であり、いわゆる指掛け部に相当している。各凹変形部７ａ，７ｂは、パネル部３の表面との間隔を拡げるように、上側に向けて円弧状に窪ませた（凹状に変形させた）部分であり、上面側から見た場合の輪郭線は、図１に示すように前記リベット部６に向けて円弧状に窪んだ（凹状に変形した）形状になっている。これに対して、区画用凸部１２は、各凹変形部７ａ，７ｂの境界となっている部分であり、各凹変形部７ａ，７ｂがパネル部３との間隔を拡げるように上側に向けて変形しているのに対して、区画用凸部１２は、パネル部３の上面に向けて凸（下側に向けて凸）となるように変形し、かつ上面側から見た場合、前記リベット部６から遠ざかる方向に凸となっている。したがって各凹変形部７ａ，７ｂは、区画用凸部１２によって区画された状態で並んで形成され、かつパネル部３との間隔が他の部分での間隔より広がっているから、凹変形部７ａ，７ｂに指先を入れることが可能なことを消費者が視覚によって容易に認識することができる。なお、パネル部３のうち前記持ち上げ部７もしくは凹変形部７ａ，７ｂに対向する部分には、凹部１３が形成され、凹変形部７ａ，７ｂとの間隔が更に広くなっている。
【００１７】
開缶する場合、前述した持ち上げ部７に指を掛けてタブ１の端部を持ち上げる。その場合、指先を入れる余裕のある箇所は、各凹変形部７ａ，７ｂであり、しかもこれらの凹変形部７ａ，７ｂが幅方向での中央部を挟んで左右対称に形成されているから、消費者は視覚を通じた認識としてこれらの凹変形部７ａ，７ｂに人差し指および中指などの二本の指の指先を入れることになる。その状態で持ち上げ部７を引き起こせば、各指先に掛かる力が小さい状態で、持ち上げ部７を容易に引き上げることができる。その結果、タブ１は開口片５に押し当てられた押し下げ部８を支点とし、かつリベット部６を作用点とした第２種のテコとして作用する。それに伴ってリベット部６の近傍でスコア線４の初期破断が生じる。持ち上げ部７を更に引き上げると、リベット部６を支点とし、かつ押し下げ部８を作用点とした第１種のテコ作用が生じ、スコア線４の破断が更に進行するとともに、開口片５が缶容器の内側に折り曲げられ、缶蓋が開口する。
【００１８】
このようにこの発明に係る缶蓋によれば、二本の指をタブ１に掛けてタブ１を引き上げることができ、またそのような操作を行うことを視覚によって、もしくは指で触って容易に知ることができる。そして、開缶に要する反力が二本の指に分割されるから、必要十分な力をタブ１に付与することができる。特に、指を掛ける凹変形部７ａ，７ｂは、タブ１の外縁部であって、リベット部６から大きく離れた箇所であるから、小さい力で大きいモーメントを生じさせることができ、この点でも開缶操作を容易なものとすることができる。
【００１９】
つぎにこの発明に係る缶蓋の他の例を説明する。図３に示す例は、上述した図１および図２に示す構成の一部を変更した例である。図３に示す例では、タブ１のうち、持ち上げ部７と前述したタングホール１０との間の部分に、抜き孔１４が形成されている。他の構成は図１および図２に示す構成と同様であるから、それらの部分には、図１および図２と同一の符号を付してその説明を省略する。したがって、図３に示す構成では、抜き孔１４に相当する部分の材料が除去されているので、タブ１もしくは缶蓋の軽量化が図られている。また、抜き孔１４の周縁部を折り曲げてカール成形することにより持ち上げ部７付近の剛性を向上することができる。
【００２０】
図４に示す例は、パネル部３に形成されている凹部を、前述した各凹変形部７ａ，７ｂに対応させて二つに分割した例である。すなわち、一方の凹変形部７ａの下側にその凹変形部７ａとほぼ同じ幅の凹部１３ａが形成され、また他方の凹変形部７ｂの下側にはその凹変形部７ｂとほぼ同じ幅の凹部１３ｂが形成されている。なお、これら二つの凹部１３ａ，１３ｂの間の部分は、パネル部３の上面側に凸となっており、その凸部が区画用凸部１２ａとなっている。したがって、図４に示す構成では、持ち上げ部７に二つの凹変形部７ａ，７ｂが形成されていることに加えて、それらの凹変形部７ａ，７ｂに対応して二つの凹部１３ａ，１３ｂがパネル部３に形成されているので、二本の指をタブ１に掛けることがより明確になり、また開缶操作が上述した例と同様に容易になる。
【００２１】
なお、図５に示す例は、図４に示す構成に加えて、前述した図３に示す抜き孔１４と同様の抜き孔１４をタブ１に形成した例である。したがって、抜き孔１４に相当する分の材料が除去されて軽量化が図られている。また、抜き孔１４の周縁部を折り曲げてカール成形することにより持ち上げ部７付近の剛性を向上することができる。
【００２２】
さらに、図６に示す例は、タブ１に対して二本の指を掛けるように誘導し、かつ二本の指を掛けることを容易にする凹変形部を、タブ１の外縁部に形成することに替えて、パネル部３に形成した例である。図６に示すように、タブ１のうち前述した押し下げ部８とは反対側の端部の外縁部は、滑らかな凸円弧状に形成され、ここが持ち上げ部７となっている。この図６に示す例においては、持ち上げ部７の幅は、タブ１における他の部分の幅より大きくなっている。パネル部３のうち持ち上げ部７に対向する部分に、持ち上げ部７の幅方向に並んだ二つの凹部１３ａ，１３ｂが形成されている。図６に示す例では、これらの凹部１３ａ，１３ｂがこの発明における凹変形部に相当している。それらの凹部１３ａ，１３ｂの間の部分は、パネル部３の上面側に凸（上側に向けて凸）となっており、ここが区画用凸部１２ａとなっている。したがって、持ち上げ部７の下側のスペース（パネル部３との間隔）は、凹部１３ａ，１３ｂの部分で広くなっている。
【００２３】
図６に示す構成では、持ち上げ部７に指を掛ける場合、スペースの大きい凹部１３ａ，１３ｂの部分に指先を入れることになる。すなわち、指先を入れる箇所が二箇所になり、かつそれらの箇所が互いに接近して並んで形成されているから、二本の指を持ち上げ部７に掛けることになる。このように、消費者に対して二本の指を使用することを推奨もしくは誘導する作用が生じる。また、開缶を容易に行うことができることは、前述した各具体例と同様である。
【符号の説明】
【００２４】
１…タブ、  ２…缶蓋、  ３…パネル部、  ４…スコア線、  ５…開口片、  ６…リベット部、  ７…指掛け部、  ７ａ，７ｂ…凹変形部、    ８…押し下げ部、    １１…リベットホール、  １２…突出部、  １２ａ…区画用凸部、  １３ａ，１３ｂ…凹部、  １４…抜き孔。
【図１】
2016108003.tif 000003
【図２】
2016108003.tif 000004
【図３】
2016108003.tif 000005
【図４】
2016108003.tif 000006
【図５】
2016108003.tif 000007
【図６】
2016108003.tif 000008